(57)【要約】  使用されたユーザインタフェースデバイス１０１，１０３のタイプに基づいてオンスクリーンディスプレイの少なくとも１つの表示パラメータが決定され、決定された少なくとも１つの表示パラメータに応じて前記オンスクリーンディスプレイが表示される。
2013519249.tif 000002
【特許請求の範囲】
【請求項１】
オンスクリーンディスプレイを表示するための方法であって、
使用されたユーザインタフェースデバイスのタイプに基づいてオンスクリーンディスプレイの少なくとも１つの表示パラメータを決定するステップと、
決定された少なくとも１つの表示パラメータに応じて前記オンスクリーンディスプレイを表示するステップとを有する、方法。
【請求項２】
前記少なくとも１つの表示パラメータは、オンスクリーンディスプレイの表示位置、オンスクリーンディスプレイの寸法、オンスクリーンディスプレイのカラーコントラスト、及び、オンスクリーンディスプレイの内容を含む、請求項１に記載の方法。
【請求項３】
オンスクリーンディスプレイの少なくとも１つの表示パラメータを決定するステップは、遠隔制御デバイスが使用された場合に大きなサイズのオンスクリーンディスプレイを与えるように寸法を決定するステップを有する、請求項１に記載の方法。
【請求項４】
寸法を決定するステップは、前記遠隔制御デバイスと前記オンスクリーンディスプレイの表示との間の距離に基づいて寸法を決定するステップを有する、請求項３に記載の方法。
【請求項５】
オンスクリーンディスプレイの少なくとも１つの表示パラメータを決定するステップは、使用された前記ユーザインタフェースデバイスの位置の近傍の範囲内においてオンスクリーンディスプレイの表示のための位置を決定するステップを有する、請求項１に記載の方法。
【請求項６】
請求項１〜５のうちいずれか一項に記載の方法を実行するための複数のプログラムコード部分を有する、コンピュータプログラム。
【請求項７】
オンスクリーンディスプレイを表示するための装置であって、
少なくとも２つのユーザインタフェースデバイスと、
前記少なくとも２つのユーザインタフェースデバイスのうちどちらが使用されたかに基づいてオンスクリーンディスプレイの少なくとも１つの表示パラメータを決定し、決定された少なくとも１つの表示パラメータに応じて前記オンスクリーンディスプレイの表示をもたらすためのコントローラとを有する、装置。
【請求項８】
前記オンスクリーンディスプレイを表示するための表示手段を更に有する、請求項７に記載の装置。
【請求項９】
前記少なくとも２つのユーザインタフェースデバイスは、遠隔制御デバイスと前記表示手段上に配置されたローカル制御デバイスとを含む、請求項８に記載の装置。
【請求項１０】
前記少なくとも１つの表示パラメータは、オンスクリーンディスプレイの表示位置、オンスクリーンディスプレイの寸法、オンスクリーンディスプレイのカラーコントラスト、及び、オンスクリーンディスプレイの内容を含む、請求項７に記載の装置。
【請求項１１】
前記遠隔制御デバイスが使用された場合には、オンスクリーンディスプレイの寸法が大きくなり、前記表示手段上に配置された前記ローカル制御デバイスが使用された場合には、オンスクリーンディスプレイの寸法が小さくなる、請求項９に記載の装置。
【請求項１２】
前記コントローラは、前記表示手段上の前記ローカル制御デバイスの位置の近傍の範囲内においてオンスクリーンディスプレイの表示をもたらす、請求項９に記載の装置。
【発明の詳細な説明】
【技術分野】
【０００１】
本発明は、オンスクリーンディスプレイを表示するための方法及び装置に関する。詳細には、排他的ではないが、これは、テレビ上のディスプレイ、ＶＣＲ、ＤＶＤディスプレイ等のためのオンスクリーンディスプレイを調節することに関する。
【背景技術】
【０００２】
テレビ、ホームシネマシステム、ＶＣＲ、ＤＶＤ、コンピュータシステム等のホームエンターテイメントシステムは、ますます複雑になっている。ユーザには、遠隔制御デバイス、ディスプレイ内又はその近くに配置されたローカル制御デバイス、タッチセンサ式のスクリーン等のような、斯様なシステムと接続する異なる技術が与えられる。これらのシステムの複雑性並びにそれ故にその複雑性及びこれらのユーザインタフェースデバイスを介してユーザに与えられたオプションの増大を考慮すると、これらのオプションの視覚的なフィードバックをユーザに与えることがますます望ましくなっている。例えば、ユーザインタフェースデバイスは、Ambilight、ボリュームレベル、番組チャンネル、選択ソース及び表示設定機能のような機能を制御するために用いられ、これらの視覚的なフィードバックが有用である。
【０００３】
現在、任意のグラフィカルフィードバックが、予め決められたサイズ及び位置をもつスクリーンの一部に与えられる。これらは、既存の表示されたコンテンツ上に重ねられる。その表示が大きくて既に乱雑である場合には、ユーザがグラフィカルフィードバックを配置して読み取ることが困難であることを証明することができる。更に、ローカル制御デバイスは、ディスプレイ上のどこかに、例えば、ディスプレイスクリーンの外周上の或る位置に配置され得る。結果として、ユーザは、スクリーンの近く、及び、グラフィカルフィードバックの配置及び読み取りを困難にするスクリーンの特定の位置に、位置付けられる。
【発明の概要】
【発明が解決しようとする課題】
【０００４】
本発明は、配置及び読み取りをより容易に行う、スクリーン上のグラフィカルフィードバックの表示を提供しようとしている。
【課題を解決するための手段】
【０００５】
これは、本発明の第１の態様によれば、オンスクリーンディスプレイを表示するための方法であって、使用されたユーザインタフェースデバイスのタイプに基づいてオンスクリーンディスプレイの少なくとも１つの表示パラメータを決定するステップと、決定された少なくとも１つの表示パラメータに応じて前記オンスクリーンディスプレイを表示するステップとを有する、方法により達成される。
【０００６】
また、これは、本発明の第２の態様によれば、オンスクリーンディスプレイを表示するための装置であって、少なくとも２つのユーザインタフェースデバイスと、前記少なくとも２つのユーザインタフェースデバイスのうちどちらが使用されたかに基づいてオンスクリーンディスプレイの少なくとも１つの表示パラメータを決定し、決定された少なくとも１つの表示パラメータに応じて前記オンスクリーンディスプレイの表示をもたらすためのコントローラとを有する、装置により達成される。
【０００７】
オンスクリーンディスプレイは、現在表示されている画像以外のテキスト、図及びメニュー等の任意のタイプの情報を有し得る。これは、ディスプレイの現在の設定を含んでもよく、ユーザがディスプレイの種々の機能を制御するためにその設定を変更することを可能とする。オンスクリーンディスプレイは、現在表示され重ねられているコンテンツアイテムの重ね合わせであってもよい。また、オンスクリーンディスプレイは、電子番組ガイド、チャンネルリスト、検索メニュー等を含んでもよい。
【０００８】
使用されるインタフェースデバイスのタイプは、ユーザの位置の表示を与える。例えば、ユーザは、遠隔制御デバイスを用いる場合があり、それ故に、スクリーンから離れており、そして、オンスクリーンディスプレイは、スクリーン上で見つけるのを容易にするとともに読み取るのを容易にするように調節され得る。
【０００９】
オンスクリーンディスプレイは、グラフィカルフィードバックをユーザに与える。使用されたインタフェースデバイスのタイプに基づいてオンスクリーンディスプレイのディスプレイパラメータを調節することは、ユーザに対するより詳細なグラフィカルフィードバックを可能にする。ユーザが特定のタイプのユーザインタフェースデバイスを用いた場合には、ユーザは、そのタイプのユーザインタフェースデバイスに関連付けられた特定のオンスクリーンディスプレイ（グラフィカルフィードバック）に気付き、オンスクリーンディスプレイを容易に配置し、それ故にこれを容易に読み取ることができるだろう。
【００１０】
本発明の一実施形態において、少なくとも１つの表示パラメータは、オンスクリーンディスプレイの表示位置、オンスクリーンディスプレイの寸法、オンスクリーンディスプレイのカラーコントラスト、及び、オンスクリーンディスプレイの内容を含み得る。
【００１１】
結果として、オンスクリーンディスプレイの"見た目"は、ユーザがオンスクリーンディスプレイを大きなスクリーン上又は離れて観察されたスクリーン上で見つけるのを容易にし、その内容を読み取るのを容易にするのに適合するように調節され得る。
【００１２】
本発明の一実施形態において、オンスクリーンディスプレイの寸法は、遠隔制御デバイスが使用された場合には、大きなサイズのオンスクリーンディスプレイを与えるように、又は、オンスクリーンディスプレイを表示するディスプレイと一緒に配置されるか若しくはこれに一体化された制御パネル、若しくは、ディスプレイのタッチセンサ部分のようなローカル制御デバイスが使用された場合には、より小さなサイズのオンスクリーンディスプレイを与えるように、調節され得る。
【００１３】
オンスクリーンディスプレイのサイズは、予め決められた閾値に対して決定され得る。例えば、閾値は、遠隔制御デバイスが使用された場合には、オンスクリーンディスプレイのサイズが前記予め決められた閾値よりも大きくなるように決定され、ローカル制御デバイスが使用された場合には、オンスクリーンディスプレイのサイズが前記予め決められた閾値よりも小さくなるように決定されるように、公称サイズのオンスクリーンディスプレイを与えるように予め決められ得る。
【００１４】
代わりに、相対的サイズが、ユーザインタフェースデバイスの各タイプに対して予め決められ、使用されたインタフェースデバイスのタイプに依存して、対応する予め格納されたサイズのパラメータが取り出されてオンスクリーンディスプレイを表示するために使用されるように予め格納されてもよい。
【００１５】
代わりに、サイズは、遠隔制御デバイスが使用された場合にはディスプレイのより多くの部分を占有し、ローカル制御デバイスが使用された場合にはディスプレイのより少ない部分を占有するようにオンスクリーンディスプレイのサイズが決定されるように、現在表示されているコンテンツ全体により、又は、現在のディスプレイのアスペクト比若しくはサイズにより、（使用されたインタフェースデバイスのタイプに加えて）決定されてもよい。
【００１６】
オンスクリーンディスプレイのサイズは、ディスプレイの位置からの遠隔制御デバイスの距離を考慮するように調節されてもよい。オンスクリーンディスプレイのサイズは、遠隔制御デバイスが使用され、ディスプレイの位置からのより大きな距離が決定された場合に増大し得る。
【００１７】
更に、又は、代わりに、オンスクリーンディスプレイの表示位置は、使用されたユーザインタフェースデバイスの位置に基づいて決定されてもよい。例えば、ローカル制御デバイスは、ディスプレイの外周若しくはディスプレイの任意の部分の周りのどこかの任意の位置に配置され、オンスクリーンディスプレイの表示位置は、ローカル制御デバイスの位置の近傍、例えば隣になるように決定されてもよい。従って、ユーザは、ローカル制御デバイスを使用している間、スクリーンの近くにいるので、オンスクリーンディスプレイは、ユーザの視線の範囲内に表示され、それ故、ユーザは、オンスクリーンディスプレイを見つけて読み取るためにスクリーンをサーチする必要がない。
【００１８】
本発明のより完全な理解のために、添付図面と組み合わせて以下の説明が参照される。
【図面の簡単な説明】
【００１９】
【図１】本発明の一実施形態の装置の単純な概略図である。
【図２】本発明の一実施形態のオンスクリーンディスプレイを表示する方法のフローチャートである。
【図３ａ】本発明の一実施形態のオンスクリーンディスプレイの表示位置の例である。
【図３ｂ】本発明の一実施形態のオンスクリーンディスプレイの表示位置の例である。
【発明を実施するための形態】
【００２０】
図１に示されたような、本発明の一実施形態の装置１００は、少なくとも２つのインタフェースデバイス１０１，１０３、ディスプレイ１０５及びコントローラ１０７を有する。ディスプレイ１０５は、本装置の部分としてここに示されているが、本装置は、外部ディスプレイを制御するように出力してもよいことが理解され得る。
【００２１】
少なくとも２つのインタフェースデバイス１０１，１０３は、例えば、コントローラ１０７と無線で通信する遠隔制御デバイス１０１、又は、ディスプレイ１０５に取り付けられたパネル、若しくは、ディスプレイ１０５、ディスプレイ１０５のタッチセンサ部分のようなディスプレイの一部若しくはキーボードと一体のコントロールパネルであり得るローカル制御デバイス１０３を有し得る。
【００２２】
ディスプレイ１０５は、任意の形状であり、ローカル制御デバイス１０３は、ディスプレイ１０５の縁の周り若しくはその近くのどこかに配置され得るか、又は、ディスプレイ１０５上のどこかに配置され得る。図１において、制御デバイス１０３は、矩形ディスプレイ１０５の右手側に取り付けられて示されている。ローカル制御デバイス１０３は、ディスプレイ１０５の底側若しくは上側、又は、ディスプレイ１０５の左手側に配置されてもよい。ローカル制御デバイス１０３は、コントローラ１０７に配線されたハードであり得るか又はコントローラ１０７と無線で通信し得る、キーボードのような、ディスプレイ１０５に取り付けられた別個のユニットであってもよい。代わりに、ローカル制御デバイス１０３は、一体型キーボード又はタッチセンサ式スクリーンのようなディスプレイの一体部分であってもよい。
【００２３】
装置１００の動作が図２を参照して説明されるだろう。
【００２４】
インタフェースデバイス１０１又は１０３の使用があると（ステップ２０３）、コントローラ１０７は、オンスクリーンディスプレイ（ＯＳＤ）の要求を待つ（ステップ２０５）。コントローラ１０７は、使用されたユーザインタフェース１０３を介してユーザにより入力されたコマンドに応じてディスプレイ１０５を動作させる（ステップ２０７）。ユーザがオンスクリーンディスプレイの表示を要求した場合には、オンスクリーンディスプレイの表示パラメータが、使用されたインタフェースデバイスのタイプに基づいて決定される（ステップ２０９）。オンスクリーンディスプレイは、ステップ２１１において表示される。
【００２５】
パラメータは、オンスクリーンディスプレイの表示位置、オンスクリーンディスプレイの寸法、オンスクリーンディスプレイのカラーコントラスト、及び、オンスクリーンディスプレイの内容、又は、これらの組み合わせのいずれか１つを含み得る。結果として、オンスクリーンディスプレイの"見た目"は、ユーザが、オンスクリーンディスプレイを大きなスクリーン又は離れて観察されるスクリーン上で見つけるのを容易にし、その内容を読み取るのを容易にするように適合するように調節され得る。
【００２６】
本発明の一実施形態において、オンスクリーンディスプレイの寸法は、遠隔制御デバイス１０１が使用された場合には大きなサイズのオンスクリーンディスプレイを与え、又は、オンスクリーンディスプレイを表示するディスプレイと一緒に配置されるか若しくはこれと一体のコントロールパネル若しくはディスプレイのタッチセンサ部分のようなローカル制御デバイス１０３が使用された場合には小さなサイズのオンスクリーンディスプレイを与えるように調節され得る。オンスクリーンディスプレイのサイズは、遠隔制御デバイス１０１が使用された場合には、オンスクリーンディスプレイのサイズが予め決められた閾値よりも大きくなるように決定され、ローカル制御デバイス１０３が使用された場合には、オンスクリーンディスプレイのサイズが予め決められた閾値よりも小さくなるように決定されるような、公称サイズのオンスクリーンディスプレイを与えるように、予め決められた閾値、例えば寸法に対して決定され得る。
【００２７】
代わりに、相対的サイズが、ユーザインタフェースデバイスの各タイプに対して予め決められ、使用されたインタフェースデバイスのタイプに依存して、対応する予め格納されたサイズのパラメータが取り出されてオンスクリーンディスプレイを表示するために使用されるように予め格納されてもよい。
【００２８】
代わりに、サイズは、遠隔制御デバイス１０１が使用された場合にはディスプレイのより多くの部分を占有し、ローカル制御デバイス１０３が使用された場合にはディスプレイのより少ない部分を占有するようにオンスクリーンディスプレイのサイズが決定されるように、現在表示されているコンテンツ全体により、又は、現在のディスプレイのアスペクト比若しくはサイズにより、（使用されたインタフェースデバイスのタイプに加えて）決定されてもよい。
【００２９】
オンスクリーンディスプレイのサイズは、ディスプレイの位置からの遠隔制御デバイスの距離を考慮するように調節されてもよい。オンスクリーンディスプレイのサイズは、遠隔制御デバイスが使用され、ディスプレイの位置からのより大きな距離が決定された場合に増大し得る。
【００３０】
更に、又は、代わりに、オンスクリーンディスプレイの表示のための位置は、使用されたユーザインタフェースデバイスのタイプ及び／又は位置に基づいて決定されてもよい。例えば、ローカル制御デバイス１０３は、ディスプレイ１０５の縁の周りの任意の位置に配置されてもよく、又は、ディスプレイの部分を形成してもよく、及び、オンスクリーンディスプレイの表示位置は、ローカル制御デバイス１０３の位置の隣のディスプレイ上になるように決定されてもよい。例えば、図３ａに示されるように、使用されたローカル制御デバイス３０３が矩形ディスプレイ３０５の右手側に配置されている場合には、オンスクリーンディスプレイ３０７は、ローカル制御デバイス３０３の位置の隣のディスプレイ３０５の右手側に配置される。
【００３１】
他の例において、ローカル制御デバイス３０９は、図３ｂに示されるように、ディスプレイ３１１の底側に配置され得る。このローカル制御デバイス３０９が使用された場合には、オンスクリーンディスプレイ３１３は、ディスプレイ３１１の底部分に配置される。更に、オンスクリーンディスプレイ３０７，３１３のアスペクト比及び／又はサイズは、表示位置に依存して変化し得る。例えば、図３ａに示されるように、オンスクリーンディスプレイ３０７は、スクリーンに合わせるために、オンスクリーンディスプレイ３１３と比較して、減少した幅ｗ及び増大した高さｈをもち、審美的により魅力的なもの等であるオンスクリーンディスプレイを与える。それ故、ユーザは、ローカル制御デバイス１０３，３０３，３０９を使用している間、ディスプレイ１０５，３０５，３０９のスクリーンの近くにいるので、オンスクリーンディスプレイは、ユーザの視線の範囲内に表示され、それ故、ユーザは、オンスクリーンディスプレイを見つけて読み取るためにスクリーンをサーチするために頭を動かす必要がない。
【００３２】
本発明の実施形態は、添付図面において示され、前述の詳細な説明において説明されたが、本発明は、開示された実施形態に限定されるものではなく、特許請求の範囲に記載された本発明の範囲から逸脱することなく多くの変更を可能とすることが理解されるだろう。
【００３３】
"手段"は、当業者にとって明らかであるように、分離して又は他の要素と協働して、単独で又は他の機能と組み合わせて、動作中に再生するか又は特定の機能を再生するように設計された、任意の（別個の又は一体化された回路又は電子要素のような）ハードウェア又は（プログラム又はプログラムの部分のような）ソフトウェアを含むことを意味する。本発明は、幾つかの別個の要素を有するハードウェアにより、及び、適切にプログラムされたコンピュータにより、実行され得る。幾つかの手段を列挙する装置に係る請求項において、これらの手段の幾つかは、ハードウェアの全く同一のアイテムにより具現されてもよい。"コンピュータプログラムプロダクト"は、フロッピーディスク、インターネットのようなネットワークを介してダウンロード可能なもの、又は、任意の他の態様で市場性のあるもののような、コンピュータ読み取り可能な媒体上に格納された任意のソフトウェアプロダクトを意味することが理解されるべきである。
【図１】
2013519249.tif 000003
【図２】
2013519249.tif 000004
【図３ａ】
2013519249.tif 000005
【図３ｂ】
2013519249.tif 000006
【国際調査報告】
2013519249.tif 000007
2013519249.tif 000008
2013519249.tif 000009